(57)【要約】  本発明は、鉄筋連結用ワンタッチ式クイックカプラーに関し、鉄筋３００の両端が挿入固定される左右の胴体１００、２００と、前記左右の胴体１００、２００の内部に設けられ、鉄筋３００の両端を把持する左右の把持部１１０、２１０からなり、鉄筋３００を連結する鉄筋カプラーにおいて、前記左右の胴体１００、２００は、それぞれ前面の鉄筋挿入孔１０１、２０１、側壁１０２、２０２、及び後部孔１０３、２０３からなり、前記左右の胴体１００、２００の後部は、相互結合しており、前記側壁１０２、２０２の内径は、傾斜しているテーパー状であり、前記左右の把持部１１０、２１０の外径部も、傾斜しているテーパー状であり、前記左右の把持部１１０、２１０の傾斜部が側壁１０２、２０２の内径の傾斜部と相互作動してくさび作用をすることから鉄筋３００が離脱しないように圧着し、また、前記左右の把持部１１０、２１０の内径部は、長手方向に鋸歯６００が形成され、前記鋸歯６００の下辺には、鉄筋３００の節突起３０１部分を収容することができる溝６０１が形成されているものである。本発明は、カプラー内の鋸歯が形成された把持部の作動により、鉄筋を確実かつ安全に把持することができ、また、製作が容易で、素材費が低減するので、生産原価及び価格競争力に優れた効果を奏する。
2014517176.tif 000002
【特許請求の範囲】
【請求項１】
鉄筋３００の両端が挿入固定される左右の胴体１００、２００と、前記左右の胴体１００、２００の内部に設けられ、鉄筋３００の両端を把持する左右の把持部１１０、２１０とからなり、鉄筋３００を連結する鉄筋カプラーにおいて、
前記左右の胴体１００、２００は、それぞれ前面の鉄筋挿入孔１０１、２０１、側壁１０２、２０２、及び後部孔１０３、２０３からなり、前記左右の胴体１００、２００の後部は、相互結合しており、前記側壁１０２、２０２の内径は、傾斜しているテーパー状であり、前記左右の把持部１１０、２１０の外径部も、傾斜しているテーパー状であり、前記左右の把持部１１０、２１０の傾斜部が側壁１０２、２０２の内径の傾斜部と相互作動してくさび作用をすることから鉄筋３００が離脱しないように圧着し、また、前記左右の把持部１１０、２１０の内径部は、長手方向に鋸歯６００が形成され、前記鋸歯６００の下辺には、鉄筋３００の節突起３０１部分を収容することができる溝６０１が形成されており、
前記左右の把持部１１０、２１０は、それぞれ複数個の切片に分けられており、前記複数個の切片は、鉄筋挿入孔を中心にして放射状に配置され、複数個に分けられている左右の把持部１１０、２１０の切片の間には、把持部ガイド１２０、２２０が各切片の間に対応するように挿入され、全体的に断面が丸い円をなし、また、前記左右の把持部１１０、２１０の内径部は、鉄筋を把持するように凹んでラウンドしており、両側面は、外側方向に凸にラウンドしており、外径部は、左右の胴体１００、２００に接触するように外側方向に凸にラウンドしていることを特徴とする鉄筋連結用ワンタッチ式クイックカプラー。
【請求項２】
前記溝６０１は、ラウンドしているため、鋸歯６００の各々の断面の形状は
2014517176.tif 000004
であることを特徴とする請求項１に記載の鉄筋連結用ワンタッチ式クイックカプラー。
【請求項３】
前記鋸歯６００は、左右の把持部１１０、２１０の長手方向に形成され、鉄筋の節突起３０１のピッチの１／２間隔で形成されることを特徴とする請求項１に記載の鉄筋連結用ワンタッチ式クイックカプラー。
【請求項４】
前記各々の把持部ガイド１２０、２２０の後部は、複数個の小孔が放射状に穿孔された左右のガイド板１２１、２２１に連結され、また、前記各々の左右の把持部１１０、２１０の切片と左右のガイド板１２１、２２１との間には、圧縮コイルバネ１３０、２３０が設けられ、鉄筋３００を挿入固定するとき、左右の把持部１１０、２１０がスムーズに動作するようにすることを特徴とする請求項１に記載の鉄筋連結用ワンタッチ式クイックカプラー。
【請求項５】
前記左右の把持部１１０、２１０は、溝６０１に代わって、平面が形成されることを特徴とする請求項１に記載の鉄筋連結用ワンタッチ式クイックカプラー。
【請求項６】
前記平面には、ナーリングによる凹凸部６０２が形成され、鉄筋接触面積及び圧力を強化することを特徴とする請求項５に記載の鉄筋連結用ワンタッチ式クイックカプラー。
【請求項７】
前記左右の把持部１１０、２１０の外径において、鉄筋方向側の端部には段が形成され、左右の胴体１００、２００の内径も相応して段が形成され、鉄筋３００が引っ張られるとき、左右の把持部１１０、２１０と左右の胴体１００、２００との間にかかる圧力を分散することができることを特徴とする請求項１に記載の鉄筋連結用ワンタッチ式クイックカプラー。
【請求項８】
前記胴体１００、２００の外径の鉄筋３００方向側の端部には傾斜が形成され、コンクリートを施工する際、モルタルを、気孔や空き空間が発生することなく十分に充填することができることを特徴とする請求項１に記載の鉄筋連結用ワンタッチ式クイックカプラー。
【請求項９】
前記左右の把持部１１０、２１０を内在した左右の胴体１００、２００は、それぞれ分離して単独で使用することができるものであって、それぞれ分離し、壁に胴体をネジ結合によって付着して鉄筋３００を壁に付着したり、あるいは、ティー字（Ｔ）状、十字（＋）状、及びエルボー（Ｌ）状の中空管に結合して鉄筋３００を連結することに使用することを特徴とする請求項１または５に記載の鉄筋連結用ワンタッチ式クイックカプラー。
【発明の詳細な説明】
【技術分野】
【０００１】
本発明は、鉄筋連結用ワンタッチ式クイックカプラーに関し、より詳しくは、鋸歯が形成されたくさび状把持具と胴体とを用いて鉄筋を把持する鉄筋連結用ワンタッチ式クイックカプラーに関するものである。
【背景技術】
【０００２】
各種の建設現場において、コンクリート構造物に使用するための鉄筋を連結するために、従来は、鉄筋を二重に重ねた状態で、針金などで縛って固定していたが、このような鉄筋固定方式は、作業者が針金を多数回鉄筋外周に巻き付けてから縛らなければならないので、作業が煩わしく、鉄筋の中心が垂直にならず傾くのみならず、針金の強度が弱いため、よく切れて連結状態が解除されるという不都合があった。
【０００３】
かかる問題点を解決するために、鉄筋を、針金ではなく、他の手段で容易かつ強固に連結するための鉄筋連結装置（カップリング装置）が開発されて使用されつつある。
【０００４】
ところで、従来、開発されていた鉄筋連結装置のほとんどは、鉄筋をハウジングの内部に挿入した後、ハウジングをネジで固定する方式であって、構造が複雑で、鉄筋の連結作業をし難く、作業に多大な時間、努力、費用を要する不都合がある。
【０００５】
かかる問題点を解決するためのものとして、韓国特許第０４３９３０５号（登録日：２００４．０６．２８．）、韓国特許第０４６２２９０１号（登録日：２００４．１２．０８．）、韓国特許第１００３３０２号などには、簡易に鉄筋を連結可能なワンタッチ式鉄筋カプラーが開示されている。
【０００６】
しかしながら、従来のワンタッチ式鉄筋カプラーは、鉄筋のリブが左右対称な場合は、強い結束力を提供することができるが、リブが左右非対称な大部分の鉄筋については、強い結束力を提供できない不都合がある。すなわち、上記特許の鉄筋連結装置は、非対称なリブを有する鉄筋を挿入する場合、一方側のリブは強固に結合されるものの、他方側のリブは結合されず、結束力が弱く、商用化が行われていない。また、熱変形やその他外力により、鉄筋連結装置の変形やボールの流失が発生する可能性が高いので、商用化が不可能となる不都合がある。
【０００７】
本出願人が既に出願して特許された韓国特許第１０−１０３９１２０号は、これらの従来の鉄筋カプラーの問題点を解決するためのものであり、図１及び図２に示すように、両側から二つの鉄筋Ｂが挿入されるように両端部を開けて形成する中空部１１と、前記中空部１１の両側端部に、内側から軸方向の外側に行くほど内径が小さくなるように形成される二つのテーパー部１２を有するカプラーボディー１０と；前記各々のテーパー部１２の内側に軸方向に沿って配列され、軸方向に移動可能であり、カプラーボディー１０の内側から軸方向の外側に行くほど小径を有する複数のボール３１、３２、３３、３４からなる複数のボールグループ３０と；前記カプラーボディ１０の内側に設けられ、前記ボールグループ３０を内側から軸方向の外側方向に押し出す弾性力を加える弾性部材４０とを含んで構成され；鉄筋Ｂがカプラーボディー１０の両側端部を通じて中空部１１の内側に挿入されるとき、前記ボールグループ３０のボール３１、３２、３３、３４とボール３１、３２、３３、３４との間にて鉄筋Ｂの外周面のリブＲが挿入され、ボール３１、３２、３３、３４とテーパー部１２のくさび作用により、鉄筋Ｂが外れないように拘束可能になっている。
【０００８】
しかしながら、このようなボールタイプワンタッチ式カプラーは、締結が容易で、一度締結すれば外れにくいという特徴を有するが、鉄筋の場合、引張力を増加させれば、鉄筋が伸びて滑り抜けるという問題点がある。つまり、鉄筋と片体との接合部が、ボール状、または屈曲が緩やかな形状であれば、密着性に極めて優れたとしても鉄筋の節が片体を押し出して離脱し、鉄筋は伸びやすい性質を有しており、片体は高強度に耐える材質からなっており、鉄筋を結合した後、挿入の反対方向に鉄筋を引っ張れば、片体が鉄筋の節を掴んでいる片体の部分が、柔らかい性質の鉄筋を押すこととなり、鉄筋の形態が変形し（鉄筋が細くなったり、あるいは、節の形態を押し潰して変形させて抜け出る）、結局は、所望の引張力が得られないという問題点が残っていた。
【発明の概要】
【発明が解決しようとする課題】
【０００９】
本発明は、上記のような問題点を解決するために案出されたものであり、本発明の目的は、カプラー内の鋸歯が形成された把持部の作動により、鉄筋を確実かつ安全に把持することができ、また、製作が容易で、素材費が低減し、生産原価及び価格競争力に優れた鉄筋連結用ワンタッチ式クイックカプラーを提供することにある。
【課題を解決するための手段】
【００１０】
本発明は、鉄筋連結用ワンタッチ式クイックカプラーに関するものであり、鉄筋の両端が挿入固定される左右の胴体と、前記左右の胴体の内部に設けられ、鉄筋の両端を把持する左右の把持部からなり、鉄筋を連結する鉄筋カプラーにおいて、前記左右の胴体は、それぞれ前面の鉄筋挿入孔、側壁、及び後部孔からなり、前記左右の胴体の後部は、相互結合しており、前記側壁の内径は、傾斜しているテーパー状であり、前記左右の把持部の外径部も傾斜しているテーパー状であり、前記左右の把持部の傾斜部が側壁の内径の傾斜部と相互作動してくさび作用をすることから鉄筋が離脱しないように圧着し、また、前記左右の把持部の内径部は長手方向に鋸歯が形成され、前記鋸歯の下辺には、鉄筋の節突起部分を収容することができる溝が形成されていることを特徴とする。
【００１１】
本発明の一態様によると、前記左右の把持部は、それぞれ複数個の切片に分けられており、前記複数個の切片は、鉄筋挿入孔を中心にして放射状に配置され、複数個に分けられている左右の把持部の切片の間には、把持部ガイドが各切片の間に対応するように挿入され、全体的に断面が丸い円をなし、また、前記左右の把持部の内径部は、鉄筋を把持するように凹んでラウンドしており、両側面は、外側方向に凸にラウンドしており、外径部は、左右の胴体に接触するように外側方向に凸にラウンドしていることを特徴とする。
【発明の効果】
【００１２】
本発明は、カプラー内の鋸歯が形成された把持部の作動により、鉄筋を確実かつ安全に把持することができ、また、製作が容易で、素材費が低減するので、生産原価及び価格競争力に優れた効果を奏する。
【図面の簡単な説明】
【００１３】
【図１】従来のカプラーの斜視図である。
【図２】図１のカプラーの水平断面図である。
【図３】本発明によるカプラーの縦断面図である。
【図４】本発明におけるカプラーの水平断面図である。
【図５】本発明におけるカプラーの把持部の部分切欠図である。
【図６】本発明におけるカプラーの把持部の縦断面図である。
【図７】本発明におけるカプラーの把持部の底面図である。
【図８】本発明におけるカプラーの把持部の平面図である。
【図９】本発明の他の実施例のカプラーの把持部の縦断面図である。
【図１０】本発明の他の実施例のカプラーの把持部の平面図である。
【図１１】図９の把持部に凹凸溝を形成した図である。
【図１２】本発明におけるカプラーの胴体を壁面に固定した様子を示す図である。
【図１３】本発明におけるカプラーの胴体をＴ字状に結合した様子を示す図である。
【図１４】本発明におけるカプラーの胴体を＋状に結合した様子を示す図である。
【図１５】本発明におけるカプラーの胴体をＬ字状に結合した様子を示す図である。
【発明を実施するための形態】
【００１４】
以下、添付図面を参照して、本発明による鉄筋連結用ワンタッチ式クイックカプラーの好ましい実施例について詳細に説明する。
【００１５】
図３〜図８を参照すると、本発明のカプラーは、鉄筋３００の両端が挿入固定される左右の胴体１００、２００と、前記左右の胴体１００、２００の内部に設けられ、鉄筋３００の両端を把持する左右の把持部１１０、２１０とからなる。左右側は、説明の便宜上、図３において左側、右側と称し、実際の左右の胴体及び把持部は、同一の構造および機能を有する。
【００１６】
前記鉄筋３００を相互連結する前記左右の胴体１００、２００は、それぞれ前面の鉄筋挿入孔１０１、２０１、側壁１０２、２０２、及び後部孔１０３、２０３から同一に構成される。また、前記左右の胴体１００、２００の後部は、相互結合しているので、二つの鉄筋を互いに連結することができる。
【００１７】
結合方法は、左右の胴体を各々製造した後、ネジ締結、溶接などで結合することができる。勿論、分離することができるように、主に、左右の胴体の一方には、胴体の後部孔の外周に雄ネジを形成し、他方には、胴体の後部孔の内周に雌ネジを形成して相互ネジ締結する方法を採択する。
【００１８】
また、前記側壁１０２、２０２の内径は、傾斜しているテーパー状であり、前記左右の把持部１１０、２１０の外径部も、傾斜しているテーパー状であるので、前記左右の把持部１１０、２１０の傾斜部が側壁１０２、２０２の内径の傾斜部と相互作動してくさび作用をすることから鉄筋３００が離脱しないように圧着する。すなわち、鉄筋が連結された状態で左右の両鉄筋を引っ張っても、くさび作用によりむしろ強固に結束され、離脱しない。
【００１９】
さらに、前記左右の把持部１１０、２１０は、それぞれ複数個の切片に分けられており、前記複数個の切片は、鉄筋挿入孔を中心に放射状に配置され、複数個に分けられている左右の把持部１１０、２１０の切片の間には、把持部ガイド１２０、２２０が各切片の間に対応するように挿入され、全体的に断面が丸い円をなし、また、前記左右の把持部１１０、２１０の内径部は、鉄筋を把持するように凹んでラウンドしており、両側面は外側方向に凸にラウンドしており、外径部は、胴体１００、２００に接触するように外側方向に凸にラウンドしている。前記切片は、少なくとも二つ以上である。
【００２０】
なお、切片は、動作の正確さを期するために、両側面に突起を形成し、対応する把持部ガイドには、突起溝を形成することができる。
【００２１】
本発明において、左右の胴体と切片とは、金型を用いる鍛造工法やプレス工法、または鋳造、あるいは切削加工により、多様に製造することができる。左右の胴体の素材は、ステンレスなど、鉄筋よりも強度に優れた材料を用いる。
【００２２】
なお、把持部の各切片に対応するガイドは、金属やプラスチックを用いる。また、前記各々の把持部ガイド１２０、２２０の後部は、複数個の小孔が放射状に穿孔された左右のガイド板１２１、２２１に連結される。
【００２３】
よって、本発明は、把持部の側面が円形であり、側方向に力を受けても、応力を分散させることができるため損傷や変形が起こらない。それにより、極めて大きな強度に耐えることができ、把持部の厚さが薄くなっても十分な性能を確保することができる。
【００２４】
また、本発明は、前記左右の把持部１１０、２１０の内径部は、長手方向に鋸歯６００が形成される。前記鋸歯６００の下辺には、鉄筋３００の節突起３０１部分を収容することができる溝６０１が形成されており、前記溝６０１は、
2014517176.tif 000003
である。
【００２５】
溝は、鉄筋の節突起の突出高さが概ね一定ではあるが、鉄筋メーカーにより差があり得るので、鋸歯の下辺の内側に空間を設け、節の高さが大きい場合による接触面積の減少を防止することができる。
【００２６】
また、前記鋸歯６００は、左右の把持部１１０、２１０の長手方向に形成され、鉄筋の節突起３０１のピッチの１／２間隔で形成される。それにより、鉄筋の両側に形成されるリブを基準にして、節突起がずれて形成されていても、容易に把持することができる。鉄筋は、製造の際、通常、長手方向に形成される二つの突出リブ（rib）の間の水平方向に形成される節突起が、二つの突出リブを挟んで一定のピッチずつ長手方向にずれて成形されて市販される。
【００２７】
さらに、前記各々の左右の把持部１１０、２１０の切片とガイド板との間には、左右の圧縮コイルバネ１３０、２３０が設けられ、鉄筋３００を挿入固定するとき、左右の把持部１１０、２１０がスムーズに動作する。
【００２８】
また、本発明は、図９及び図１０に示されるように、前記左右の把持部１１０、２１０は、湾曲した溝６０１に代わって、平面状溝６０１ａが形成され得る。さらに、図１１に示されるように、前記平面状溝６０１ａには、ナーリングによる凹凸部６０２を形成し、鉄筋接触面積及び圧力を強化させることができる。
【００２９】
さらに、本発明は、前記左右の把持部１１０、２１０の外径において、鉄筋方向側の端部には段が形成され、左右の胴体１００、２００の内径も相応して段が形成され、鉄筋３００が引っ張られるとき、左右の把持部１１０、２１０と左右の胴体１００、２００との間にかかる圧力を分散することができる。
【００３０】
また、前記胴体１００、２００の外径の鉄筋３００方向側の端部には傾斜が形成され、コンクリートを施工する際、モルタルを、気孔や空き空間が発生することなく十分に充填することができる。
【００３１】
なお、本発明は、左右の把持部を内在した左右の胴体を相互結合して、二つの鉄筋を連結することに使用することができるのみならず、図１３〜図１５に示されるように、必要に応じてティー字（Ｔ）状、十字（＋）状、及びエルボー（Ｌ）状の中空管に結合して鉄筋を連結することに使用することができる。
【００３２】
同様に、左右の把持部を内在した左右の胴体を互いに分離し、図１２に示されるように、左側の胴体１００のみで、または右側の胴体２００のみで壁Ｗに結合して単独で使用されるものであって、このときは、鉄筋３００を壁に結合しようとする場合に使用される。
【００３３】
前述した本発明による鉄筋連結用ワンタッチ式クイックカプラーの実施例は、単に本発明の理解を助けるための例示の目的として提示されたものであり、本発明はこれに限られず、また、本発明の属する分野における通常の知識を有する者であれば、添付した特許請求の範囲に記載されている技術思想の範疇内で多様に変更及び実施することができる。
【００３４】
よって、本発明は、カプラー内の鋸歯が形成された把持部の作動により、鉄筋を確実かつ安全に把持することができ、また、製作が容易で、素材費が低減するので、生産原価及び価格競争力に優れた効果を奏する。
【産業上の利用可能性】
【００３５】
本発明は、建設工事中、施工物の骨組を形成する鉄筋を互いに連結したり、あるいは壁体に連結するワンタッチ鉄筋カプラーに適用することができる。
【図１】
2014517176.tif 000005
【図２】
2014517176.tif 000006
【図３】
2014517176.tif 000007
【図４】
2014517176.tif 000008
【図５】
2014517176.tif 000009
【図６】
2014517176.tif 000010
【図７】
2014517176.tif 000011
【図８】
2014517176.tif 000012
【図９】
2014517176.tif 000013
【図１０】
2014517176.tif 000014
【図１１】
2014517176.tif 000015
【図１２】
2014517176.tif 000016
【図１３】
2014517176.tif 000017
【図１４】
2014517176.tif 000018
【図１５】
2014517176.tif 000019
【国際調査報告】
2014517176.tif 000020
2014517176.tif 000021
2014517176.tif 000022
2014517176.tif 000023